(57)【要約】【課題】固体撮像素子の黒レベル補正回路に関し、コストの上昇を招くことなく、黒レベルがフレームを跨いでも一定となるようにし、画面のチラツキを防ぐ。【解決手段】遮光ピクセル１11からの黒レベル値が入力される場合、スイッチ素子１８＝ＯＦＦ、スイッチ素子１９＝ＯＮとし、遮光ピクセル１11からの黒レベル値をセット用コンデンサ１７にセットする。次に、スイッチ素子１８＝ＯＮ、スイッチ素子１９＝ＯＦＦとし、セット用コンデンサ１７にセットさせた遮光ピクセル１11からの黒レベル値をクランプ用コンデンサ１６に反映させる。以下、同様の動作を遮光ピクセル１12〜１1nからの黒レベル値について順に行う。そして、画ピクセル１21〜１mnからの画素値が入力される場合には、スイッチ素子１８、１９＝ＯＦＦとし、画ピクセル１21〜１mnからの画素値の黒レベルが一定値となるように直流値を調整する。【選択図】          図１
2006115273.tif 000002
【特許請求の範囲】
【請求項１】
遮光ピクセルの出力値に続いて画ピクセルの出力値が与えられる固体撮像素子の黒レベル補正回路であって、
前記画ピクセルの出力値の黒レベルを調整する第１のコンデンサと、
容量値を前記第１のコンデンサよりも小とする第２のコンデンサを有し、
前記遮光ピクセルからの出力値が、前記第２のコンデンサにセットされた後、前記第１のコンデンサに反映される工程を含むように制御されることを特徴とする固体撮像素子の黒レベル補正回路。
【請求項２】
前記第１のコンデンサは、一端を入力端子に接続し、他端を出力端子に接続し、
前記第２のコンデンサは、一端を前記入力端子に接続すると共に、
一端を前記第１のコンデンサの他端に接続し、他端を前記第２のコンデンサの他端に接続した第１のスイッチ素子と、
一端を前記第２のコンデンサの他端に接続し、他端に所定電圧が印加される第２のスイッチ素子を有する
ことを特徴とする請求項１記載の固体撮像素子の黒レベル補正回路。
【請求項３】
前記遮光ピクセルからの出力値が、前記第２のコンデンサにセットされた後、前記第１のコンデンサに反映される制御は、１個の遮光ピクセルの出力値毎又は１個おきの遮光ピクセルの出力値毎に行う
ことを特徴とする請求項１記載の固体撮像素子の黒レベル補正回路。
【請求項４】
第３のコンデンサを有し、
前記第１のコンデンサは、一端を入力端子に接続し、他端を出力端子に接続し、
前記第２、第３のコンデンサは、一端を前記入力端子に接続すると共に、
一端を前記第１のコンデンサの他端に接続し、他端を前記第２のコンデンサの他端に接続した第１のスイッチ素子と、
一端を前記第２のコンデンサの他端に接続し、他端に所定電圧が印加される第２のスイッチ素子と、
一端を前記第１のコンデンサの他端に接続し、他端を前記第３のコンデンサの他端に接続した第３のスイッチ素子と、
一端を前記第３のコンデンサの他端に接続し、他端に前記所定電圧が印加される第４のスイッチ素子を有する
ことを特徴とする請求項１記載の固体撮像素子の黒レベル補正回路。
【請求項５】
前記第２、第３のコンデンサの一方が前記遮光ピクセルからの出力値をセットする場合には、前記第２、第３のコンデンサの他方が前記遮光ピクセルからの出力値を前記第１のコンデンサに反映させるように、前記遮光ピクセルからの出力値が、前記第２のコンデンサにセットされた後、前記第１のコンデンサに反映される工程と、前記遮光ピクセルからの出力値が、前記第３のコンデンサにセットされた後、前記第１のコンデンサに反映される工程とを繰り返すことにより行われる
ことを特徴とする請求項４記載の固体撮像素子の黒レベル補正回路。
【発明の詳細な説明】
【技術分野】
【０００１】
本発明は、固体撮像素子の黒レベル補正回路に関する。
【背景技術】
【０００２】
図６はＭＯＳ型の固体撮像素子の一例の概念図である。図６中、１11〜１mn（例えば、ｍ＝５００、ｎ＝７００）は行列状に配置されたピクセルであり、３行目から（ｍ−１）行目のピクセルは図示を省略している。この例では、１行目のピクセル１11〜１1nは黒レベル値（黒信号）を得るための遮光ピクセル、２行目のピクセル１21〜１2nからｍ行目のピクセル１m1〜１mnは画の画素値（画像信号）を得るための画ピクセルとされている。
【０００３】
２はピクセル１11〜１mnに対応して設けられた垂直走査回路を構成するシフトレジスタ、３1、３2、３nはそれぞれ１列目、２列目、ｎ列目のピクセルに対応して設けられたＣＤＳ（Correlated Double Sampling：相関二重サンプリング）回路であり、３列目から（ｎ−１）列目のピクセルに対応して設けられたＣＤＳ回路３3〜３n-1は図示を省略している。
【０００４】
４はＣＤＳ回路３1〜３nに対応して設けられた水平走査回路を構成するシフトレジスタ、５はＣＤＳ回路３1〜３nの出力値が順に出力されるバス、６はＣＤＳ回路３1〜３nから順にバス５に出力される画素値の黒レベル補正を行う黒レベル補正回路、７は黒レベル補正回路６の出力値をデジタル値に変換するＡＤ（analog to digital）変換回路である。
【０００５】
図６に示す固体撮像素子では、まず、シフトレジスタ２の制御により１行目の遮光ピクセル１11〜１1nの黒レベル値が読み出され、これらがＣＤＳ回路３1〜３nでサンプリングされる。そして、ＣＤＳ回路３1〜３nでサンプリングされた遮光ピクセル１11〜１1nの黒レベル値は、シフトレジスタ４の制御によりＣＤＳ回路３1からＣＤＳ回路３nに向かって順にバス５に読み出され、黒レベル補正回路６に取り込まれる。
【０００６】
次に、シフトレジスタ２の制御により２行目の画ピクセル１21〜１2nの画素値が読み出され、これらがＣＤＳ回路３1〜３nでサンプリングされる。そして、ＣＤＳ回路３1〜３nでサンプリングされた画ピクセル１21〜１2nの画素値は、シフトレジスタ４の制御によりＣＤＳ回路３1からＣＤＳ回路３nに向かって順にバス５に読み出され、黒レベル補正回路６で黒レベルを補正され、ＡＤ変換回路７でデジタル値に変換される。
【０００７】
以下、３行目の画ピクセル１31〜１3nからｍ行目の画ピクセル１m1〜１mnについても２行目のピクセル１21〜１2nに対する動作と同様の動作が各行のピクセル毎に順に行われる。そして、ピクセル１11〜１mnからの黒レベル値及び画素値の読み出しを１フレームとして、同様の動作が各フレーム毎に繰り返される。
【０００８】
図７は図６に示す黒レベル補正回路６として使用される従来の黒レベル補正回路の一例の回路図である（例えば、特許文献１の図１３、特許文献２の図２参照）。図７中、８はバス５に接続される入力端子、９はＡＤ変換回路７に接続される出力端子、１０は固体撮像素子内で発生させた基準となる黒レベル電圧ＶＢが印加される黒レベル電圧端子、１１はクランプ用コンデンサ、１２はスイッチ素子である。
【０００９】
図７に示す従来の黒レベル補正回路は、遮光ピクセル１11〜１1nからの黒レベル値が入力される場合には、スイッチ素子１２＝ＯＮ状態として、遮光ピクセル１11〜１1nからの黒レベル値をクランプ用コンデンサ１１にセットし、画ピクセル１21〜１mnからの画素値が入力される場合には、スイッチ素子１２＝ＯＦＦ状態として、画ピクセル１21〜１mnからの画素値の黒レベルが一定値となるように直流値を調整するというものである。
【特許文献１】特開平１０−１７４００２号公報
【特許文献２】特開２０００−１０６６５５号公報
【発明の開示】
【発明が解決しようとする課題】
【００１０】
図７に示す従来の黒レベル補正回路においては、遮光ピクセル１11〜１1nからの黒レベル値が入力される場合には、遮光ピクセル１11〜１1nからの黒レベル値の全てがクランプ用コンデンサ１１に反映されるように、クランプ用コンデンサ１１の容量値及びスイッチ素子１２のＯＮ状態時の抵抗値が決定される必要がある。
【００１１】
ここで、クランプ用コンデンサ１１の容量値及びスイッチ素子１２のＯＮ状態時の抵抗値を大きくする場合には、遮光ピクセル１11〜１1nからの黒レベル値の全てをクランプ用コンデンサ１１に反映させることが可能である。しかし、クランプ用コンデンサ１１を固体撮像素子に内蔵する構成とする場合には、クランプ用コンデンサ１１の容量値をそれほど大きくすることはできない。
【００１２】
このため、この場合には、スイッチ素子１２のＯＮ状態時の抵抗値をかなり大きな値とする必要があるが、遮光ピクセル１11〜１1nからの黒レベル値の全てをクランプ用コンデンサ１１に反映させるような大きな値とすることは実際上困難である。
【００１３】
即ち、図６に示す固体撮像素子の黒レベル補正回路６として図７に示す従来の黒レベル補正回路を使用する場合において、クランプ用コンデンサ１１を内蔵する構成とする場合には、クランプ用コンデンサ１１の容量値を大きくすることができず、また、スイッチ素子１２のＯＮ状態時の抵抗値も大きくすることができない。
【００１４】
この結果、スイッチ素子１２に流れる電流が大きくなり、遮光ピクセル１11〜１1nからの黒レベル値の全てをクランプ用コンデンサ１１に反映させることができず、最後に読み出した遮光ピクセル１1nの黒レベル値により、図７に示す黒レベル補正回路から出力される画素値の黒レベルがほぼ決定されてしまうことになる。
【００１５】
ここで、黒レベル補正回路６に入力される遮光ピクセル１11〜１1nからの黒レベル値には、それらがＣＤＳ回路３1〜３n及びバス５を通過する時に白色雑音が重畳するため、最後に読み出した遮光ピクセル１1nの黒レベル値で黒レベルがほぼ決定されてしまう場合には、黒レベルがフレーム毎に異なり、画面にチラツキが発生してしまうという問題点があった。
【００１６】
かかる問題点を解決するために、クランプ用コンデンサ１１を大容量の外付け部品とすることが考えられる。このようにする場合には、スイッチ素子１２のＯＮ状態時の抵抗値が小さくとも、遮光ピクセル１11〜１1nからの黒レベル値の全てをクランプ用コンデンサ１１に反映させ、黒レベルがフレームを跨いでも一定となるようにし、画面のチラツキを防ぐことが可能である。しかしながら、クランプ用コンデンサ１１を大容量の外付け部品とすることは、チップ面積の増加、部品の増加、アセンブリ工数の増加等により、コストの上昇を招いてしまう。
【００１７】
本発明は、かかる点に鑑み、コストの上昇を招くことなく、黒レベルがフレームを跨いでも一定となるようにし、画面のチラツキを防ぐことができるようにした固体撮像素子の黒レベル補正回路を提供することを目的とする。
【課題を解決するための手段】
【００１８】
本発明は、遮光ピクセルの出力値に続いて画ピクセルの出力値が与えられる固体撮像素子の黒レベル補正回路であって、画ピクセルの出力値の黒レベルを調整する第１のコンデンサと、容量値を第１のコンデンサよりも小とする第２のコンデンサを有し、遮光ピクセルからの出力値が、第２のコンデンサにセットされた後、第１のコンデンサに反映される工程を含むように制御されるというものである。
【発明の効果】
【００１９】
本発明によれば、画ピクセルの出力値の黒レベルを調整する第１のコンデンサの他に、容量値を第１のコンデンサよりも小とする第２のコンデンサを有し、遮光ピクセルからの出力値が、第２のコンデンサにセットされた後、第１のコンデンサに反映される工程を含むように制御されるので、フレーム内の複数の遮光ピクセルの出力値を第１のコンデンサに反映させることができる。
【００２０】
したがって、フレーム毎に黒レベルに重畳する白色雑音のバラツキを抑制し、黒レベルがフレームを跨いでも一定となるようにし、画面のチラツキを防ぐことができる。しかも、第１、第２のコンデンサは小容量で足りるので、これらを固体撮像素子に内蔵することができ、外付けコンデンサを必要とせず、コストの上昇を避けることができる。
【発明を実施するための最良の形態】
【００２１】
以下、図１〜図５を参照して、本発明の第１実施形態及び第２実施形態について、図６に示す固体撮像素子が必要とする黒レベル補正回路に使用することができるように構成した場合を例にして説明するが、本発明は、これら第１実施形態及び第２実施形態に限定されるものではない。
【００２２】
（第１実施形態）
図１は本発明の第１実施形態の回路図である。図１中、１３はバス５に接続される入力端子、１４はＡＤ変換回路７の入力端子に接続される出力端子、１５は固体撮像素子内で発生させた基準となる黒レベル電圧ＶＢが印加される黒レベル電圧端子である。
【００２３】
１６はクランプ用コンデンサ（第１のコンデンサ）、１７は容量値をクランプ用コンデンサ１６よりも小とするセット用コンデンサ（第２のコンデンサ）、１８は制御信号Ｓ１によりＯＮ、ＯＦＦが制御されるスイッチ素子、１９は制御信号Ｓ２によりＯＮ、ＯＦＦが制御されるスイッチ素子である。
【００２４】
図２は本発明の第１実施形態の第１制御例を示すタイミングチャートであり、（Ａ）は本発明の第１実施形態に入力される信号値を出力したピクセル、（Ｂ）はスイッチ素子１８のＯＮ、ＯＦＦ状態、（Ｃ）はスイッチ素子１９のＯＮ、ＯＦＦ状態を示している。
【００２５】
即ち、本発明の第１実施形態の第１制御例では、遮光ピクセル１11からの黒レベル値が入力される場合、まず、スイッチ素子１８＝ＯＦＦ状態、スイッチ素子１９＝ＯＮ状態とされ、遮光ピクセル１11からの黒レベル値がセット用コンデンサ１７にセットされる。
【００２６】
そして、これが終了すると、スイッチ素子１８＝ＯＮ状態、スイッチ素子１９＝ＯＦＦ状態とされ、セット用コンデンサ１７にセットされた遮光ピクセル１11からの黒レベル値がクランプ用コンデンサ１６に反映される。
【００２７】
以下、同様の動作が遮光ピクセル１12〜１1nからの黒レベル値について順に行われる。そして、画ピクセル１21〜１mnからの画素値が入力される場合には、スイッチ素子１８、１９＝ＯＦＦ状態とされ、画ピクセル１21〜１mnからの画素値の黒レベルが一定値となるように直流値が調整される。なお、画ピクセル１21〜１mnからの画素値が入力される場合、スイッチ素子１８＝ＯＮ状態、スイッチ素子１９＝ＯＦＦ状態としても良い。
【００２８】
なお、第１制御例を採用する場合には、クランプ用コンデンサ１６とセット用コンデンサ１７との容量比は、クランプ用コンデンサ１６に遮光ピクセル１11〜１1nからの黒レベル値の全てを反映できる値とされる。例えば、（クランプ用コンデンサ１６の容量値／セット用コンデンサ１７の容量値）＝１００とされる。
【００２９】
図３は本発明の第１実施形態の第２制御例を示すタイミングチャートであり、（Ａ）は本発明の第１実施形態に入力される信号値を出力したピクセル、（Ｂ）はスイッチ素子１８のＯＮ、ＯＦＦ状態、（Ｃ）はスイッチ素子１９のＯＮ、ＯＦＦ状態を示している。
【００３０】
即ち、本発明の第１実施形態の第２制御例では、遮光ピクセル１11からの黒レベル値が入力される場合には、スイッチ素子１８＝ＯＦＦ状態、スイッチ素子１９＝ＯＮ状態とされ、遮光ピクセル１11からの黒レベル値がセット用コンデンサ１７にセットされる。
【００３１】
次に、遮光ピクセル１12からの黒レベル値が入力される場合、スイッチ素子１８＝ＯＮ状態、スイッチ素子１９＝ＯＦＦ状態とされ、セット用コンデンサ１７にセットされた遮光ピクセル１11からの黒レベル値がクランプ用コンデンサ１６に反映される。
【００３２】
次に、遮光ピクセル１13からの黒レベル値が入力される場合には、スイッチ素子１８＝ＯＦＦ状態、スイッチ素子１９＝ＯＮ状態とされ、遮光ピクセル１13からの黒レベル値がセット用コンデンサ１７にセットされる。
【００３３】
次に、遮光ピクセル１14からの黒レベル値が入力される場合、スイッチ素子１８＝ＯＮ状態、スイッチ素子１９＝ＯＦＦ状態とされ、セット用コンデンサ１７にセットされた遮光ピクセル１13からの黒レベル値がクランプ用コンデンサ１６に反映される。
【００３４】
以下、同様の動作が遮光ピクセル１15〜１1nのうち、奇数番目の遮光ピクセルからの黒レベル値について順に行われる。そして、画ピクセル１21〜１mnからの画素値が入力される場合には、スイッチ素子１８、１９＝ＯＦＦ状態とされ、画ピクセル１21〜１mnからの画素値の黒レベルが一定値となるように直流値が調整される。なお、画ピクセル１21〜１mnからの画素値が入力される場合、スイッチ素子１８＝ＯＮ状態、スイッチ素子１９＝ＯＦＦ状態としても良い。
【００３５】
なお、第２制御例を採用する場合には、クランプ用コンデンサ１６とセット用コンデンサ１７との容量比は、クランプ用コンデンサ１６に、遮光ピクセル１11〜１1nのうち、奇数番目の遮光ピクセルからの黒レベル値を反映できる値とされる。
【００３６】
以上のように、本発明の第１実施形態によれば、第１制御例を採用する場合には、遮光ピクセル１11〜１1nからの黒レベル値をクランプ用コンデンサ１６に反映させることができ、第２制御例を採用する場合には、遮光ピクセル１11〜１1nのうち、奇数番目の遮光ピクセルからの黒レベル値をクランプ用コンデンサ１６に反映させることができる。
【００３７】
したがって、第１、第２制御例のいずれを採用する場合であっても、フレーム毎に黒レベルに重畳する白色雑音のバラツキを抑制し、黒レベルがフレームを跨いでも一定となるようにし、画面のチラツキを防ぐことができる。
【００３８】
しかも、本発明の第１実施形態によれば、クランプ用コンデンサ１６及びセット用コンデンサ１７は小容量で足りるので、これらを固体撮像素子に内蔵することができ、クランプ用コンデンサ及びセット用コンデンサとして外付けコンデンサを必要とせず、コストの上昇を避けることができる。
【００３９】
なお、第１制御例の場合には、第２制御例の場合に比較してスイッチ素子１８、１９のＯＮ、ＯＦＦのタイミング制御が複雑になるが、黒レベル値のサンプル数が第２制御例の場合の２倍となるので、黒レベルの収束率を高めることができる。
【００４０】
これに対して、第２制御例の場合には、第１制御例の場合に比較して黒レベル値のサンプル数が半分になるので、黒レベルの収束率が落ちるが、スイッチ素子１８、１９のＯＮ、ＯＦＦのタイミング制御が容易となる。
【００４１】
（第２実施形態）
図４は本発明の第２実施形態の回路図である。図４中、２０はバス５に接続される入力端子、２１はＡＤ変換回路７の入力端子に接続される出力端子、２２は固体撮像素子内で発生させた基準となる黒レベル電圧ＶＢが印加される黒レベル電圧端子である。
【００４２】
２３はクランプ用コンデンサ（第１のコンデンサ）、２４Ａ、２４Ｂは容量値をクランプ用コンデンサ２３よりも小とする同一特性のセット用コンデンサ（第２、第３のコンデンサ）である。
【００４３】
２５Ａは制御信号Ｓ３ＡによりＯＮ、ＯＦＦが制御されるスイッチ素子、２６Ａは制御信号Ｓ４ＡによりＯＮ、ＯＦＦが制御されるスイッチ素子、２５Ｂは制御信号Ｓ３ＢによりＯＮ、ＯＦＦが制御されるスイッチ素子、２６Ｂは制御信号Ｓ４ＢによりＯＮ、ＯＦＦが制御されるスイッチ素子である。
【００４４】
図５は本発明の第２実施形態の制御例を示すタイミングチャートであり、（Ａ）は本発明の第２実施形態に入力される信号値を出力したピクセル、（Ｂ）はスイッチ素子２５ＡのＯＮ、ＯＦＦ状態、（Ｃ）はスイッチ素子２６ＡのＯＮ、ＯＦＦ状態、（Ｄ）はスイッチ素子２５ＢのＯＮ、ＯＦＦ状態、（Ｅ）はスイッチ素子２６ＢのＯＮ、ＯＦＦ状態を示している。
【００４５】
即ち、本発明の第２実施形態の制御例では、遮光ピクセル１11からの黒レベル値が入力される場合、スイッチ素子２５Ａ＝ＯＦＦ状態、スイッチ素子２６Ａ＝ＯＮ状態、スイッチ素子２５Ｂ＝ＯＮ状態、スイッチ素子２６Ｂ＝ＯＦＦ状態とされ、遮光ピクセル１11からの黒レベル値がセット用コンデンサ２４Ａにセットされる。
【００４６】
次に、遮光ピクセル１12からの黒レベル値が入力される場合には、スイッチ素子２５Ａ＝ＯＮ状態、スイッチ素子２６Ａ＝ＯＦＦ状態、スイッチ素子２５Ｂ＝ＯＦＦ状態、スイッチ素子２６Ｂ＝ＯＮ状態とされ、セット用コンデンサ２４Ａにセットされた遮光ピクセル１11からの黒レベル値がクランプ用コンデンサ２３に反映されると共に、遮光ピクセル１12からの黒レベル値がセット用コンデンサ２４Ｂにセットされる。
【００４７】
次に、遮光ピクセル１13からの黒レベル値が入力される場合には、スイッチ素子２５Ａ＝ＯＦＦ状態、スイッチ素子２６Ａ＝ＯＮ状態、スイッチ素子２５Ｂ＝ＯＮ状態、スイッチ素子２６Ｂ＝ＯＦＦ状態とされ、遮光ピクセル１13からの黒レベル値がセット用コンデンサ２４Ａにセットされると共に、セット用コンデンサ２４Ｂにセットされた遮光ピクセル１12からの黒レベル値がクランプ用コンデンサ２３に反映される。
【００４８】
次に、遮光ピクセル１14からの黒レベル値が入力される場合には、スイッチ素子２５Ａ＝ＯＮ状態、スイッチ素子２６Ａ＝ＯＦＦ状態、スイッチ素子２５Ｂ＝ＯＦＦ状態、スイッチ素子２６Ｂ＝ＯＮ状態とされ、セット用コンデンサ２４Ａにセットされた遮光ピクセル１13からの黒レベル値がクランプ用コンデンサ２３に反映されると共に、遮光ピクセル１14からの黒レベル値がセット用コンデンサ２４Ｂにセットされる。
【００４９】
以下、同様の動作が遮光ピクセル１15〜１1nからの黒レベル値について順に行われる。そして、画ピクセル１21〜１mnからの画素値が入力される場合には、スイッチ素子２５Ａ、２６Ａ、２５Ｂ、２６Ｂ＝ＯＦＦ状態とされ、画ピクセル１21〜１mnからの画素値の黒レベルが一定値となるように直流値が調整される。なお、画ピクセル１21〜１mnからの画素値が入力される場合、スイッチ素子２５Ａ、２５Ｂ＝ＯＮ状態、スイッチ素子２６Ａ、２６Ｂ＝ＯＦＦ状態としても良い。
【００５０】
本発明の第２実施形態の場合、クランプ用コンデンサ２３とセット用コンデンサ２４Ａ、２４Ｂとの容量比は、遮光ピクセル１11〜１1nからの黒レベル値の全てを反映できる値とされる。
【００５１】
以上のように、本発明の第２実施形態によれば、遮光ピクセル１11〜１1nからの黒レベル値をクランプ用コンデンサ２３に反映させることができるので、フレーム毎に黒レベルに重畳する白色雑音のバラツキを抑制し、黒レベルがフレームを跨いでも一定となるようにし、画面のチラツキを防ぐことができる。
【００５２】
しかも、本発明の第２実施形態によれば、クランプ用コンデンサ２３及びセット用コンデンサ２４Ａ、２４Ｂは小容量で足りるので、これらを固体撮像素子に内蔵することができ、クランプ用コンデンサ及びセット用コンデンサとして外付けコンデンサを必要としないので、コストの上昇を避けることができる。
【００５３】
また、本発明の第２実施形態によれば、本発明の第１実施形態において第１制御例を採用する場合と同様に、遮光ピクセル１11〜１1nからの黒レベル値を全てクランプ用コンデンサ２３に反映させることができるので、黒レベルの収束率を高めることができると共に、本発明の第１実施形態において第２制御例を採用する場合と同様に、スイッチ素子２５Ａ、２６Ａ、２５Ｂ、２６ＢのＯＮ、ＯＦＦのタイミング制御が容易となる。
【図面の簡単な説明】
【００５４】
【図１】本発明の第１実施形態の回路図である。
【図２】本発明の第１実施形態の第１制御例を示すタイミングチャートである。
【図３】本発明の第１実施形態の第２制御例を示すタイミングチャートである。
【図４】本発明の第２実施形態の回路図である。
【図５】本発明の第２実施形態の制御例を示すタイミングチャートである。
【図６】ＭＯＳ型の固体撮像素子の一例の概念図である。
【図７】図６に示す黒レベル補正回路として使用される従来の黒レベル補正回路の一例の回路図である。
【符号の説明】
【００５５】
１11〜１1n…遮光ピクセル
１21〜１mn…画ピクセル
２…シフトレジスタ
３1〜３n…ＣＤＳ（相関二重サンプリング）回路
４…シフトレジスタ
５…バス
６…黒レベル補正回路
７…ＡＤ変換回路
８…入力端子
９…出力端子
１０…黒レベル電圧端子
１１…クランプ用コンデンサ
１２…スイッチ素子
１３…入力端子
１４…出力端子
１５…黒レベル電圧端子
１６…クランプ用コンデンサ
１７…セット用コンデンサ
１８、１９…スイッチ素子
２０…入力端子
２１…出力端子
２２…黒レベル電圧端子
２３…クランプ用コンデンサ
２４Ａ、２４Ｂ…セット用コンデンサ
２５Ａ、２６Ａ、２５Ｂ、２６Ｂ…スイッチ素子
【図１】
2006115273.tif 000003
【図２】
2006115273.tif 000004
【図３】
2006115273.tif 000005
【図４】
2006115273.tif 000006
【図５】
2006115273.tif 000007
【図６】
2006115273.tif 000008
【図７】
2006115273.tif 000009